(57)【要約】【課題】  印刷等画像記録のための位置合わせを行った撮影画像を容易に得ることができる。【解決手段】  ＬＣＤモニタにより表示された撮影領域のうち、所定の記録媒体（例えばディスク状記録媒体）に記録可能な領域の情報２０２を、撮影領域の画像１０７の上に重ねて表示させる。【選択図】  図２
2006140708.tif 000002
【特許請求の範囲】
【請求項１】
撮像して得られた画像を記録する撮像装置であって、
撮影領域の画像を表示可能な表示手段と、
前記表示手段により表示された撮影領域のうち、所定の記録媒体に記録可能な領域の情報を、前記撮影領域の画像の上に重ねて表示させる表示制御手段と、
を有することを特徴とする撮像装置。
【請求項２】
前記所定の記録媒体は表面に画像を印刷可能なディスク状記録媒体であり、前記表示制御手段は、印刷可能な領域に対応させたディスク状記録媒体イメージを、前記記録可能な領域の情報として、前記撮影領域の画像の上に重ねて表示させることを特徴とする請求項１に記載の撮像装置。
【請求項３】
前記表示制御手段は、前記ディスク状記録媒体イメージ表示時には、ディスク状記録媒体装着用の孔の領域を表示させることを特徴とする請求項２記載の撮像装置。
【請求項４】
前記表示制御手段は、撮影前の撮影対象確認中と、撮影対象が確定し撮影準備が完了した時点とで、前記記録可能な領域以外の領域の表示状態を変化させることを特徴とする請求項１〜３のいずれかに記載の撮像装置。
【請求項５】
前記表示制御手段は、前記記録可能な領域以外の領域については、表示画像の輝度レベルを低くして表示させることを特徴とする請求項１〜４のいずれかに記載の撮像装置。
【請求項６】
前記表示制御手段は、前記記録可能な領域以外の領域については、表示画像の輝度レベルを最低レベルにして表示画像をマスクすることを特徴とする請求項５に記載の撮像装置。
【請求項７】
前記表示制御手段は、前記記録可能な領域の情報と、制御情報としての映像情報の検出対象となる小領域を示す検出領域の情報とを、前記撮影領域の画像の上に重ねて表示することを特徴とする請求項１〜６のいずれかに記載の撮像装置。
【請求項８】
前記検出領域の情報として、自動焦点制御枠を表示することを特徴とする請求項７記載の撮像装置。
【請求項９】
前記検出領域の情報として、自動露出制御枠を表示することを特徴とする請求項７記載の撮像装置。
【請求項１０】
前記記録可能な領域の情報は、ディスク状記録媒体装着用の孔の領域表示を含み、前記検出領域の情報は、前記ディスク状記録媒体装着用の孔の領域を避けて設定されることを特徴とする請求項７〜９のいずれかに記載の撮像装置。
【請求項１１】
前記撮影領域の撮影を行い記録する第一の撮影モードと、前記記録可能な領域に基づく撮影を行い記録する第二の撮影モードのいずれかで撮影及び記録を制御する撮影記録制御手段をさらに有し、
前記撮影記録制御手段は、前記第二の撮影モードを利用して撮影を行った場合には、前記記録可能な領域以外の領域については、撮影領域の画像ではなく別画像情報に置き換えて形成されるディスクラベル画像を記録することを特徴とする請求項２に記載の撮像装置。
【請求項１２】
着脱可能な第一の記録媒体と、撮像装置本体に内蔵される第二の記録媒体をさらに有し、
前記撮影記録制御手段は、前記ディスクラベル画像については第一の記録媒体に記録するとともに第二の記録媒体にも記録することを特徴とする請求項１１に記載の撮像装置。
【請求項１３】
前記撮影記録制御手段は、前記第二の撮影モードを利用して撮影を行った場合には、前記ディスクラベル画像を記録すると同時に、前記撮影領域の通常画像についても記録することを特徴とする請求項１１に記載の撮像装置。
【請求項１４】
前記撮影記録制御手段は、前記通常画像と前記ディスクラベル画像を別ファイルとして記録媒体に記録することを特徴とする請求項１３に記載の撮像装置。
【請求項１５】
前記撮影記録制御手段は、前記通常画像ファイルを第一の記録媒体に記録し、前記ディスクラベル画像ファイルについては前記第二の記録媒体に記録することを特徴とする請求項１４に記載の撮像装置。
【請求項１６】
前記通常画像ファイルと前記ディスクラベル画像ファイルは互いに関連付けられていることを特徴とする請求項１４または１５に記載の撮像装置。
【請求項１７】
前記表示制御手段は、画像再生時には前記通常画像ファイルの画像が表示手段に表示されるとともに、該通常画像ファイルと関連付けられた前記ディスクラベル画像ファイルが存在する場合には、その旨を表示手段に表示することを特徴とする請求項１６記載の撮像装置。
【請求項１８】
前記撮影記録制御手段は、前記第二の撮影モードを利用して撮影を行った場合には、前記通常画像ファイルのみを記録媒体に記録し、該ファイルの属性情報として第二の撮影モードで撮影したことを明示する属性を記録することを特徴とする請求項１１に記載の撮像装置。
【請求項１９】
ディスク状記録媒体の表面に印刷可能な印刷装置と接続し通信する印刷制御手段をさらに有し、
前記撮影記録制御手段は、前記第二の撮影モードを利用して撮影を行った場合には、撮像装置本体に内蔵する第二の記録媒体に前記ディスクラベル画像ファイルを記録し、
前記印刷制御手段は、ディスクラベル印刷モードにおいて、上記印刷装置と接続時には、上記第二の記録媒体内のディスクラベル画像ファイルを印刷装置に送信し、ディスク状記録媒体の表面に、ディスクラベル画像を印刷することを特徴とする請求項１１記載の撮像装置。
【請求項２０】
撮像装置に装着された第一の記録媒体と、
上記第一の記録媒体に記録されたディスクラベル画像ファイルの一覧から少なくとも一つ以上のファイルを選択し、該ファイルを第二の記録媒体に複製し記録する複製手段とをさらに有することを特徴とする請求項１９記載の撮像装置。
【請求項２１】
前記複製記録されたディスクラベル画像ファイルを、第一の記録媒体が撮像装置本体から取り外された以降も第二の記録媒体に保持し続けることを特徴とする請求項２０記載の撮像装置。
【請求項２２】
前記ディスクラベル印刷モードに移行した際には、前記第二の記録媒体内に記録されたディスクラベル画像を表示手段に自動表示することを特徴とする請求項２０記載の撮像装置。
【請求項２３】
ディスクラベル印刷準備状態にある印刷装置と接続された場合には、自動的に前記ディスクラベル印刷モードに移行し、前記第二の記録媒体に記録されたディスクラベル画像を表示部に自動表示することを特徴とする請求項１９記載の撮像装置。
【請求項２４】
前記ディスクラベル印刷モードに移行した際には、前記第二の記録媒体内に記録された少なくとも一つ以上のディスクラベル画像ファイルの一覧を自動表示し、使用者により表示画像の中から任意のディスクラベル画像が選択された場合には、該画像を印刷する機能を有することを特徴とする請求項２２および請求項２３記載の撮像装置。
【請求項２５】
ディスクラベル印刷モードに移行した場合には、前記ディスクラベル画像以外の印刷を禁止することを特徴とする請求項１９記載の撮像装置。
【請求項２６】
撮影領域の画像を表示可能な表示手段を有し、撮像して得られた画像を記録する撮像装置の表示制御方法であって、
前記表示手段により表示された撮影領域のうち、所定の記録媒体に記録可能な領域の情報を、前記撮影領域の画像の上に重ねて表示させる表示制御工程有することを特徴とする撮像装置の表示制御方法。
【請求項２７】
撮影領域の画像を表示可能な表示手段を有し、撮像して得られた画像を記録する撮像装置の表示制御方法を実行するためのプログラムであって、
前記表示手段により表示された撮影領域のうち、所定の記録媒体に記録可能な領域の情報を、前記撮影領域の画像の上に重ねて表示させる表示制御ステップを有することを特徴とするプログラム。
【請求項２８】
撮影領域の画像を表示可能な表示手段を有し、撮像して得られた画像を記録する撮像装置の表示制御方法を実行するためのプログラムコードを記録した記憶媒体であって、
前記表示手段により表示された撮影領域のうち、所定の記録媒体に記録可能な領域の情報を、前記撮影領域の画像の上に重ねて表示させる表示制御コードを有することを特徴とする記憶媒体。
【発明の詳細な説明】
【技術分野】
【０００１】
本発明は、撮像して得られた画像を記録する撮像装置、撮像装置の表示制御方法、プログラム、及び記憶媒体に関するものである。
【背景技術】
【０００２】
印刷装置と撮像装置とを直接接続して構成された印刷システムにおいて、印刷用紙を収納した、印刷装置に着脱可能なカートリッジを利用し、カートリッジに設けられた情報記録手段から印刷出力に利用する情報を撮像装置側で取得することにより、多様化したユーザニーズに対応し、多種多様な印刷用紙への印刷を容易に行う撮像装置がある（例えば、特許文献１参照）。
【特許文献１】特開２００３−２１１７９３号公報
【発明の開示】
【発明が解決しようとする課題】
【０００３】
しかしながら、上記従来の撮像装置では、印刷対象としてディスク形態の記録媒体が選択された場合には、そのドーナツ形状により中心や周辺部分の印刷不可能領域が存在するため、該領域に対しどのように位置合わせをし、印刷を行うかについての決定手段が必要となる。このような手順を撮像装置本体で行うことは煩雑な作業であり、敬遠されがちである。さらに通常の撮影においては、重要な被写体を中心に置いて撮影をすることが多く、上記位置合わせ手順を省略して印刷を実施すると、重要な被写体が印刷されないという問題がある。
【０００４】
本発明は上述した問題点を解決するためのものであり、印刷等画像記録のための位置合わせを行った撮影画像を容易に得ることができる撮像装置、撮像装置の表示制御方法、プログラム、及び記憶媒体を目的とする。
【課題を解決するための手段】
【０００５】
上記目的を達成するために、本発明の撮像装置は、撮像して得られた画像を記録する撮像装置であって、撮影領域の画像を表示可能な表示手段と、前記表示手段により表示された撮影領域のうち、所定の記録媒体に記録可能な領域の情報を、前記撮影領域の画像の上に重ねて表示させる表示制御手段と、を有することを特徴とする。
【０００６】
また、本発明の撮像装置の表示制御方法は、撮影領域の画像を表示可能な表示手段を有し、撮像して得られた画像を記録する撮像装置の表示制御方法であって、前記表示手段により表示された撮影領域のうち、所定の記録媒体に記録可能な領域の情報を、前記撮影領域の画像の上に重ねて表示させる表示制御工程有することを特徴とする。
【０００７】
また、本発明のプログラムは、撮影領域の画像を表示可能な表示手段を有し、撮像して得られた画像を記録する撮像装置の表示制御方法を実行するためのプログラムであって、前記表示手段により表示された撮影領域のうち、所定の記録媒体に記録可能な領域の情報を、前記撮影領域の画像の上に重ねて表示させる表示制御ステップを有することを特徴とする。
【０００８】
また、本発明の記憶媒体は、撮影領域の画像を表示可能な表示手段を有し、撮像して得られた画像を記録する撮像装置の表示制御方法を実行するためのプログラムコードを記録した記憶媒体であって、前記表示手段により表示された撮影領域のうち、所定の記録媒体に記録可能な領域の情報を、前記撮影領域の画像の上に重ねて表示させる表示制御コードを有することを特徴とする。
【発明の効果】
【０００９】
本発明によれば、表示手段により表示された撮影領域のうち、所定の記録媒体に記録可能な領域の情報を、撮影領域の画像の上に重ねて表示させることで、印刷等画像記録のための位置合わせを行った撮影画像を容易に得ることができる。
【００１０】
例えば、撮影時にディスクラベルに適合するようにフレーミングを行い、ディスクラベル画像ファイルとして保存することができ、容易にディスクラベル画像を作成することができる。また、印刷装置と接続し、ディスクに対しディスクラベル印刷を行うことができる。
【発明を実施するための最良の形態】
【００１１】
以下、図面を参照して本発明の実施の形態を説明する。
【００１２】
（第１の実施形態）
図１は本発明の実施形態による撮像装置の構成を示すブロック図である。
【００１３】
図１において、符号１０１は撮像装置全体の制御を担う制御部、符号１０２は焦点距離や絞りの状態を変更可能なレンズ、符号１０３は例えばＣＣＤ（Ｃｈａｒｇｅ  Ｃｏｕｐｌｅｄ  Ｄｅｖｉｃｅ）のような撮像素子で、レンズ１０２により結像した光を電気信号に変換する機能を有する。符号１０４はＡ／Ｄコンバータであり、撮像素子１０３から入力される動画像アナログ信号をデジタル映像信号化して出力する機能を有する。符号１０５はデジタル信号処理部であり、入力動画像デジタル信号に対しホワイトバランスやガンマ補正等の所定の信号処理を行う。符号１０６は映像信号符号／復号化部であり、入力されるデジタル映像信号に対しデータ量の圧縮を行い、静止画像、動画像それぞれに適した記録信号形式にデータを変換する機能を有し、また逆に記録データから静止画像データ、動画像データへと復号する機能を有する。符号１０７は表示部であり、撮影中、再生中の画像や、それに付随する各種データを表示する機能を有し、また各種操作の際のユーザインタフェースとしても利用される。
【００１４】
符号１０８はフラッシュメモリであり、各種データの記録に使用され、また一部の領域については前記制御部１０１で処理されるファイルシステムの記録媒体として利用され、前記映像信号符号／復号化部によって生成される動画像データファイル、静止画像データファイルの記録に利用される。符号１０９、１１０はそれぞれディスクスロット部、ディスク媒体であり、ディスク媒体は本撮像装置に対し着脱・交換可能な記録媒体である。前記フラッシュメモリと同様に、ファイルシステムの記録媒体として利用され、映像信号符号／復号化部によって生成される動画像データファイル、静止画像データファイルの記録に利用される。符号１１１は通信部であり、情報処理端末や印刷装置等と接続され、各種データの交換に利用される。
【００１５】
次に、本実施形態における撮影時の表示部１０７への表示情報について図２を用いて説明する。
【００１６】
図２（ａ）は、通常画像撮影モード時の表示部１０７の様子であり、撮影領域に対し、符号２０１の測距、測光ポイントが重ねて表示される。図では測距、測光ポイントが三つの場合を示しており、静止画撮影時には、これらの少なくとも一つ以上のポイントに対し、撮影時の焦点や露出が適正となるように制御される。撮影者は本表示を見ながら撮影のフレーミングを行い、被写体を任意の測距、測光ポイントに合わせ、撮影を行う。
【００１７】
図２（ｂ）は本実施形態の特徴であるディスクラベル画像撮影モード時の表示部１０７の様子を示している。（ａ）に対し、符号２０２のディスクラベル領域情報が表示される。これは、ディスクラベルに印刷可能な領域を示すものであり、この領域内に被写体がおさまるように撮影することで、ディスクラベル印刷に最適な静止画像を撮影することができる。また、測距、測光ポイントとしては、通常静止画撮影モード時の中心のポイントが存在しない。これは、中心部分はディスクの孔の領域にあたり、撮影画像をディスクラベルに印刷してもその部分は印刷されないため、測距、測光ポイントとして選択できないように配慮したものである。
【００１８】
図２（ｃ）、（ｄ）は、（ｂ）と同様にディスクラベル画像撮影モード時の表示部１０７の表示例である。図２（ｂ）では単にディスクラベル領域を表示しただけであるが、（ｃ）においては、より撮影者に対しディスクラベル領域をわかりやすくするため、符号２０３のようなディスクラベル外領域については、輝度レベルを下げて表示する。さらにフレーミングが確定し、測距、測光ポイントが確定し、撮影準備完了状態に入った場合には、（ｄ）の表示に切り替わる。符号２０４のように、選択されている測距、測光ポイントが表示され、符号２０５のようにディスクラベル領域外については、輝度レベルが最低レベルに落とされ、より撮影者がディスクラベル印刷時のイメージがわかりやすいように表示する。撮影者はこの表示を確認し、問題が無ければ撮影し記録媒体にディスクラベル画像を記録する。印刷イメージと異なる場合には、撮影準備完了状態を解除し、再度（ｃ）の表示でフレーミングを実施する。
【００１９】
次に、上記のようにディスクラベル画像撮影モードによって撮影されたディスクラベル画像について図３を用いて説明する。
【００２０】
図３（ａ）は、ディスクラベル画像撮影モード時に同時記録された通常画像ファイルであり、ディスクラベル以外の領域についても画像データが記録されている。一方、（ｂ）はディスクラベル画像を示しており、符号３０１、３０２の示すディスクラベル領域以外の部分については、本来の画像データではなく白色データとして記録されている。これは、ディスクラベル画像を印刷する際に領域外の部分については印刷しないようにするためである。また、ディスクラベル外領域については不要となるため、（ｂ）のようにディスクラベル領域を包含する正方形の領域を画像サイズとするように記録しても良い。
【００２１】
次にディスクラベル画像撮影モード時の画像データの記録について説明する。本実施形態の撮像装置では、以下の記録方法の中から一つを選択し、記録することができる。
（１）ディスクラベル画像ファイルのみをフラッシュメモリ１０８に記録する
（２）ディスクラベル画像ファイルのみをフラッシュメモリ１０８、ディスク媒体１１０の両方に記録する
（３）ディスクラベル画像ファイルをフラッシュメモリ１０８に記録、同時に通常画像データをディスク媒体１１０に記録する
上記のように（１）、（２）、（３）いずれの場合でも、ディスクラベル画像ファイルがフラッシュメモリ１０８に記録される。その理由は、後に述べるディスクラベル印刷モード時への対応が目的であり、本装置からディスクラベルの印刷を行う場合、ディスク媒体は印刷装置側に装着されていることが予想され、この状況においてはディスク媒体にディスクラベル画像が記録されていることは無意味であり、少なくとも本撮像装置内のフラッシュメモリ１０８に、ディスクラベル画像ファイルが記録されている必要があるためである。
【００２２】
（３）のようにディスクラベル画像ファイルと通常画像ファイルを記録する場合には、これらの記録ファイルは同時に撮影されたという関連性がわかるように記録する。具体的には、両ファイルのファイル名について、通常画像ファイルについては先頭に“ＩＭＧ＿”を、ディスクラベル画像ファイルについては先頭に“ＬＢＬ＿”をつけ、続いて両者に対し同じ通し番号を付与する。例えば通常画像ファイルＩＭＧ＿０５１２．ＪＰＧとディスクラベル画像ファイルＬＢＬ＿０５１２．ＪＰＧは同時に撮影されたファイルであると判別できる。このように記録された画像ファイルを再生モードにおいて表示する場合には、関連付けられた両ファイルのうち図４（ｂ）のように通常画像ファイルを表示する。その場合、本画像には関連付けられたディスクラベル画像ファイルが存在することを明示するために、画像右上部に符号４０１のディスクラベル画像リンクマークを表示する。一方、通常画像ファイルのみの画像ファイルについては図４（ａ）のように表示される。
【００２３】
本実施形態における撮像装置の撮像時の動作をフローチャートを用いて説明する。本処理は、制御部１０１に記憶された制御プログラムに基づき、制御部１０１が実行するものである。
【００２４】
まず、図示しない操作部においてユーザにより撮影モードが、ディスクラベル画像撮影モードと通常画像撮影モードのどちらに設定されているかを判断する（Ｓ１００１）。
【００２５】
ここで、通常画像撮影モードに設定されていると判断された場合は、図２（ａ）に示した表示を表示部１０７に表示させ（Ｓ１００２）、ユーザからの撮像開始指示（シャッターボタン押下）を待ちながら（Ｓ１００３）、随時、撮像素子１０３から得られる画像を更新する。
【００２６】
ユーザからの指示入力があった場合、そのときの表示領域に基づく撮影を行い（Ｓ１００４）、得られた通常画像のみをディスク媒体１１０に記録し、通常画像撮影モードでの処理を終了する。
【００２７】
一方、ステップＳ１００１で、ディスクラベル画像撮影モードであると判断された場合は、図２（ｂ）に示した表示を表示部１０７に表示させ（Ｓ１００６）、ユーザからの撮像開始指示（シャッターボタン押下）を待ちながら（Ｓ１００６）、随時、撮像素子１０３から得られる画像を更新する。
【００２８】
ユーザからの指示入力があった場合、そのときの表示領域に基づく撮影を行い（Ｓ１００７）、予め設定された記録モードが何であるかを判断し、判断結果に従い所定の媒体に画像を記録する。
【００２９】
ここで、記録モードが、上記（１）の記録モードである場合、ディスクラベル画像ファイルのみをフラッシュメモリ１０８に記録する（Ｓ１００９）。記録モードが、上記（２）の記録モードである場合、ディスクラベル画像ファイルのみをフラッシュメモリ１０８、ディスク媒体１１０の両方に記録する。記録モードが、上記（３）の記録モードである場合、ディスクラベル画像ファイルをフラッシュメモリ１０８に記録、同時に通常画像データをディスク媒体１１０に記録する。以上のいずれかの記録モードでの記録が終了すると、ディスクラベル画像撮影モードでの処理を終了する。
【００３０】
次に、本撮像装置の特徴であるディスクラベル印刷について説明する。
図５のように、本撮像装置５０１と印刷装置５０２は本装置の通信部１１１を使用して接続される。符号５０３は印刷媒体であり、通常の用紙やディスク媒体等が選択可能である。図５（ａ）のようにＵＳＢ（Ｕｎｉｖｅｒｓａｌ  Ｓｅｒｉａｌ  Ｂｕｓ）で代表されるような有線で接続される場合や、（ｂ）のように無線ＬＡＮで代表されるような無線通信で接続される場合もある。いずれの場合でも、両者が通信可能な状態になることにより、撮像装置から画像ファイルを印刷装置に送信し、任意の印刷媒体に画像を印刷することができる。
【００３１】
両者の処理手順について、図６のフローを用いて説明する。まず両者を起動する（Ｓ６０１、Ｓ６０９）。撮像装置については画像再生モードで起動し、記録された各画像ファイルを再生しながら（Ｓ６０２）、印刷する画像ファイルを選択する（Ｓ６０３）。撮像装置は選択された画像ファイルの種別を判別する（Ｓ６０４）。選択された画像ファイルが、ディスクラベル画像ファイルへ関連付けられた通常画像ファイルの場合は、通常画像を印刷するのか、関連付けられたディスクラベル画像を印刷するのかの選択を促す表示を行う（Ｓ６０５）。画像ファイルの種別が確定すると、印刷媒体の選択を促す表示を行う（Ｓ６０６）。この時、通常画像ファイルの場合には用紙サイズや用紙種別の選択が可能であるが、ディスクラベル画像ファイルの場合には、ディスクのみが選択可能となる。選択された印刷媒体に応じた媒体を印刷装置にセットし（Ｓ６１０）、印刷装置は印刷準備状態となる。
【００３２】
その後、本撮像装置において印刷開始の指示を行い、印刷を開始する（Ｓ６０７）。通信部１１１を介して選択された画像ファイルおよび印刷媒体種別等の付随情報が印刷装置に送信され（Ｓ６１４）、印刷装置は印刷を開始する（Ｓ６１１）。印刷終了（Ｓ６１２）と同時に終了通知および結果を撮像装置に返し（Ｓ６１５）、印刷処理を終了する。撮像装置は印刷装置からの終了通知をうけ、選択画像の印刷終了を認識する。Ｓ６１４の通信において、印刷装置側にセットされた印刷媒体と、撮像装置側で選択された印刷媒体が一致しないことがわかった場合には、撮像装置はその旨を表示し、印刷媒体の選択を変更するか、印刷装置にセットされた印刷媒体の変更を促す。
【００３３】
以上説明したとおり、本撮像装置では、撮影時にディスクラベルに適合するようにフレーミングを行い、ディスクラベル画像ファイルとして保存することができ、容易にディスクラベル画像を作成することができる。また、印刷装置と接続し、ディスクに対しディスクラベル印刷を行うことができる。
【００３４】
（第２の実施形態）
ディスクラベル印刷について第１の実施形態とは異なる手順で実施する場合について説明する。
【００３５】
図７に本実施形態の印刷手順を示す。本実施形態の撮像装置にはディスクラベル印刷モードが備えられており、本モードで撮像装置を起動する（Ｓ７０１）。本モードの場合、ディスクラベルへの印刷のみが有効になるため、印刷画像確認のための再生もディスクラベル画像に限定される（Ｓ７０２）。このときの表示部１０７の表示例を図８に示す。符号８０１に印刷候補のディスクラベル画像が表示され、符号８０２，８０３のボタンにより印刷の許可／非許可を選択する。符号８０３が選択された場合には、次の印刷候補が表示される。
【００３６】
このようにして印刷ディスクラベル画像が確定すると、印刷が開始され（Ｓ７０４）、ディスクラベル画像が印刷装置に送信される（Ｓ７１１）。Ｓ７１１の通信に先立ち印刷装置には、印刷媒体としてディスクがセットされる。該通信時点でディスクがセットされていない場合には、その旨が撮像装置に表示され、ディスクのセットを促す表示を行う。正常に印刷が開始され（Ｓ７０８）、印刷が完了する（Ｓ７０９）と同時に終了通知および結果を撮像装置に返し（Ｓ７１２）、印刷処理を終了する。撮像装置は印刷装置からの終了通知をうけ、選択画像の印刷終了を認識する。
【００３７】
上記の方法の場合、あらかじめディスクラベル印刷モードで起動するため、撮像装置の表示部にはディスクラベル画像のみが表示され、所望の印刷画像を見つけやすいという利点がある。
【００３８】
同様に上記とは別の印刷手順について図９を用いて説明する。まず撮像装置は印刷モードで起動される（Ｓ９０１）、またこれに先立ち、印刷装置には所望の印刷媒体がセットされている（Ｓ９０９）。印刷モードで起動された撮像装置は、すぐに印刷装置との通信を開始し、特に印刷装置の種類や印刷装置にセッティングされている印刷媒体の情報を取得する（Ｓ９１３）。該情報をもとに印刷装置が通常画像の印刷準備状態にあるか、ディスクラベル画像印刷準備状態にあるかの判定を行う（Ｓ９０２）。ディスクラベル画像印刷準備状態であると判定された場合には、ディスクラベル画像ファイルのみを表示部１０７に表示し（Ｓ９０３）、印刷すべきディスクラベル画像の選択を促す（Ｓ９０４）。
【００３９】
一方、通常画像印刷準備状態であると判定された場合には、通常画像ファイルのみを表示部１０７に表示し（Ｓ９０５）、印刷すべき通常画像ファイルの選択を促す。いずれの場合でも、印刷画像が確定した時点で印刷装置に印刷画像が送信され（Ｓ９１４）、印刷装置において印刷が開始される（Ｓ９１０）。印刷完了後（Ｓ９１１）、終了通知および結果を撮像装置に返し（Ｓ９１５）、印刷処理を終了する。撮像装置は印刷装置からの終了通知をうけ、選択画像の印刷終了を認識する。
【００４０】
上記の方法の場合、前述の印刷手段とは違い、あらかじめ印刷装置の準備状態から印刷可能な画像ファイルの種別を判定し、該種別に適した画像ファイルのみを表示するため、利用者の誤った印刷指示を未然に防止できる。
【００４１】
（第３の実施形態）
本実施形態では、第１の実施形態とは異なる方法で画像ファイルを記録する方法について説明する。第１の実施形態では、フラッシュメモリ１０８にディスクラベル画像ファイルを記録していたが、本実施形態ではディスクラベル画像撮影モード時でも通常画像ファイルのみをディスク媒体１１０またはフラッシュメモリ１０８のいずれかに記録する。その際にファイル属性として、ディスクラベル画像撮影モードで撮影したことを記録する。例えば最近の撮像装置のほとんどで採用されているＥｘｉｆ（Ｅｘｃｈａｎｇｅａｂｌｅ  Ｉｍａｇｅ  Ｆｉｌｅ  Ｆｏｒｍａｔ）画像フォーマットで記録する場合には、独自情報として該情報を記録しておくことができる。本撮像装置では、上記独自情報を判別することができるため、どの通常画像ファイルがディスクラベル画像撮影モードで記録されたかを知ることができる。
【００４２】
印刷時には、ディスク媒体１１０およびフラッシュメモリ１０８に記録されているディスクラベル画像に関連する通常画像ファイルの中から、所望のファイルを選択し、一時的にディスクラベル画像データを作成し、印刷を実施する。
【００４３】
本実施形態では、むやみにディスクラベル画像ファイルと通常画像ファイルを作成しないため、記録容量を浪費せず、また、記録される画像ファイルの種別が統一されるという利点がある。
【００４４】
（他の実施形態）
本発明の目的は、前述した各実施形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００４５】
この場合、記憶媒体から読み出されたプログラムコード自体が本発明の新規な機能を実現することになり、そのプログラムコードを記憶した記憶媒体およびプログラムは本発明を構成することになる。
【００４６】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００４７】
また、コンピュータが読み出したプログラムコードを実行することにより、前述した各実施形態の機能が実現されるだけでなく、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【００４８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施形態の機能が実現される場合も含まれる。
【図面の簡単な説明】
【００４９】
【図１】本発明の撮像装置の構成図
【図２】撮影モード時の表示例
【図３】通常画像とディスクラベル画像
【図４】画像再生時の表示例
【図５】ディスクラベル印刷時の接続形態
【図６】第１の実施形態における印刷手順
【図７】第２の実施形態における印刷手順
【図８】ディスクラベル印刷時の表示例
【図９】第２の実施形態における印刷手順その２
【図１０】第１の実施形態における撮影手順
【符号の説明】
【００５０】
１０１  制御部
１０２  レンズ
１０３  撮像素子
１０４  Ａ／Ｄコンバータ
１０５  信号処理部
１０６  映像信号符号／復号化部
１０７  表示部
１０８  フラッシュメモリ
１０９  ディスクスロット
１１０  ディスク媒体
１１１  通信部
２０１  測距・測光ポイント
２０２  ディスクラベル領域
４０１  ディスクラベル画像リンクマーク
５０１  撮像装置
５０２  印刷装置
５０３  印刷媒体
【図１】
2006140708.tif 000003
【図２】
2006140708.tif 000004
【図３】
2006140708.tif 000005
【図４】
2006140708.tif 000006
【図５】
2006140708.tif 000007
【図６】
2006140708.tif 000008
【図７】
2006140708.tif 000009
【図８】
2006140708.tif 000010
【図９】
2006140708.tif 000011
【図１０】
2006140708.tif 000012